(57)【要約】ネットワーク・エレメント内でリソースを割り当てる方法であって、当該ネットワーク・エレメント内でトラフィック終端点またはＡＡＬ終端点が確立される。当該ネットワーク・エレメントは接続の受け入れを要求し、利用できるリソースが要求された接続を確立するために充分な容量を有しているか否かが確かめられる。充分な容量がある場合、利用できるリソースに関して設けられた終端点は、該リソースを細分化して接続が確立されないか否かが確かめられる。もし、リソースが細分化されるならば、関連する接続を妨げることなく終端点の１または２以上が再配置され、これによってリソースの細分化を充分に解消し、要求された接続が確立される。
2004514378.tif 000002
【特許請求の範囲】
【請求項１】
内部にトラフィックの終端点またはＡＡＬ２の終端点が確立されているネットワーク・エレメント内にリソースを割り当てる方法であって、ネットワーク・エレメントを介して接続要求を受け入れる工程と、
利用可能なリソースが要求された接続を確立するに足る容量を保有しているかどうかを確認する工程と、
充分な容量がある場合には、利用可能なリソースに関連して画定された終端点が、接続が確立され得ないようにリソースを細分化しているかどうかを確認する工程と、
リソースがそのように細分化されている場合は、関連する接続を断つことなく１つまたは複数の終端点を再配置し、これにより、要求された接続が確立され得るに足る程度にリソースの細分化を解消する工程とを含む方法。
【請求項２】
終端点の再配置に先立って、ネットワーク・エレメント内のリソースの細分化を最小限にするには既存の何れの終端点を再配置すべきかを確認し、次いでこの決定にしたがって終端点が変更される工程をさらに含む請求項１記載の方法。
【請求項３】
１つまたは複数の終端点を再配置する工程は、
無線ネットワーク・コントローラ（ＲＮＣ）に終端点交換要求（ＴＰＳＲ）メッセージを送信する工程を含み、ＴＰＳＲメッセージは交換される終端点に関連するポート情報を含み、
ＲＮＣから交換要求コミット（ＳＲＣ）メッセージを受信する工程を含み、ＳＲＣメッセージはリソースの再配分が行われることの確認とリソースの再配分の同期のためのタイミング情報とを含む請求項１または２記載の方法。
【請求項４】
ＴＰＳＲは１つまたは複数の下記ＩＤ、すなわち、
結合ＩＤと、
伝送レイヤおよびノードＢ通信環境ＩＤと、
通信制御ポートＩＤとを含む請求項３記載の方法。
【請求項５】
ネットワーク・エレメントは３ＧＰＰ　ＵＴＲＡ仕様によるノードＢエレメントである請求項１、２、３または４記載の方法。
【請求項６】
内部にトラフィックの終端点またはＡＡＬ２の終端点が確立されている配分されるべきリソースを有するネットワーク・エレメントであって、
接続要求を受け入れ、
利用可能なリソースが要求された接続を確立するに足る容量を保有しているかどうかを確認し、
充分な容量がある場合には、利用可能なリソースに関連して画定された終端点が、接続が確立され得ないようにリソースを細分化しているかどうかを確認し、
リソースがそのように細分化されている場合は、関連する接続を断つことなく１つまたは複数の終端点を再配置し、これにより、要求された接続が確立され得る程度にリソースの細分化を解消するように構成されているネットワーク・エレメント。
【請求項７】
終端点の再配置に先立って、ネットワーク・エレメント内のリソースの細分化を最小限にするには既存の何れの終端点を再配置すべきかを確認し、次いでこの決定にしたがって終端点が変更されるように構成されている請求項６記載のネットワーク・エレメント。
【請求項８】
無線ネットワーク・コントローラ（ＲＮＣ）に、交換される終端点に関連するポート情報を含む終端点交換要求（ＴＰＳＲ）メッセージを送信することと、
ＲＮＣから、リソースの再配分が行われることの確認とリソースの再配分の同期のためのタイミング情報とを含む交換要求コミット（ＳＲＣ）メッセージを受信することにより、１つまたは複数の終端点を再配置するように構成されている請求項６または７記載のネットワーク・エレメント。
【請求項９】
ＴＰＳＲは１つまたは複数の下記ＩＤ、すなわち、
結合ＩＤと、
伝送レイヤおよびノードＢ通信環境ＩＤと、
通信制御ポートＩＤとを含む請求項８記載のネットワーク・エレメント。
【請求項１０】
ネットワーク・エレメントは３ＧＰＰ　ＵＴＲＡ仕様によるノードＢエレメントである請求項６、７、８または９記載のネットワーク・エレメント。
【発明の詳細な説明】
【０００１】
本発明は通信プロトコルに関し、より特定的には、第三世代パートナーシップ・プロジェクト（３ＧＰＰ）によって定義されたＵＴＲＡＮ（ＵＭＴＳ地球無線アクセス・ネットワーク）規格に関連づけられた規格仕様書において定義されている非同期転送モード（ＡＴＭ）に関する。
【０００２】
本発明は、現時点で認められかつ提案されている３ＧＰＰによって定義された規格仕様書に追加的特徴を提供する目的で開発されたものであり、本明細書では本発明をこれらの仕様書を参照しながら説明していく。ただし、電気通信は急速に発展しつつある分野であって、現時点で認められている、あるいは提案されている様々な規格から発展する新規で異なる規格および仕様へのアプリケーションを充分に保有し得ることは認識されるであろう。したがって、本発明は現存の規格仕様書に限定して捉えられるべきものではない。
【０００３】
３ＧＰＰによって発行されている仕様書には、ＡＴＭの様々な用途が定義されている。とくに関連のあるものとしては３ＧＰＰ　ＴＳ　４５．４３３　Ｖ３．３．０があり、その内容は相互参照として本明細書に編入されている。
【０００４】
ＡＴＭは、アクセス・ポイント間でエンド−ツー−エンド転送を実行するために必要なＡＴＭ層リンクの連鎖を備える接続指向の技術である。接続の識別子は、必要に応じて接続の各リンクに配分され、必要がなくなれば解除される。一般に、信号発信とユーザ情報とは別々の接続で伝送される。ＡＴＭモードでは、伝送されるデータはセルに編成される。
【０００５】
所定のインタフェースでは、所定の方向で、ＡＴＭ層において同一の物理的な層接続に多重化された異なる仮想経路（ＶＰ）リンクがＶＰＩによって区別化される。仮想経路接続（ＶＰＣ）における異なる仮想チャンネル（ＶＣ）は、ＶＣＩによって区別化される。
【０００６】
ＡＡＬ（ＡＴＭ順応層）は、ユーザ、制御および管理平面によって要求される機能を実行し、ＡＴＭ層と次の高次層とのあいだのマッピングをサポートする。ＡＡＬにおいて実行される機能は、高次層の要件に依存する。
【０００７】
ＡＡＬはＡＴＭ層のサービスを使用し、かつ異なるＡＡＬサービス・ユーザのニーズを満たす下記のような複数のプロトコルを含んでいる。すなわち、
ＡＡＬ１は、一定のビット伝送速度（ＣＢＲ）の接続指向、時間依存式データ転送（回路、ビデオ信号および音声帯域の信号搬送）をサポートする。
ＡＡＬ２は、可変ビット伝送速度（ＶＢＲ）の接続指向、時間依存式データ・トラフィックをサポートするＡＴＭ順応層である。ＡＡＬ２は、パケット化された音声およびＶＢＲ画像伝送をサポートする。
ＡＡＬ３／４は、可変ビット伝送速度（ＶＢＲ）の時間非依存式データ・トラフィックに順序付けおよびエラー検出サポートを供給する。トラフィックは、接続指向および無接続（フレーム・リレーおよびＳＭＤＳ等のコンピュータおよびネットワーク・データ伝送）の双方が可能である。
ＡＡＬ５は、可変ビット伝送速度（ＶＢＲ）の接続指向、時間非依存式データ・トラフィックをサポートする（ＡＡＬ５は多重化、順序付けまたはエラー検出をサポートしない）。
【０００８】
終端点は、終端および接続のようなエンティティを終了させる管理されたオブジェクトである。テクノロジー固有の終端点は、下位分類を使用して導出される。ＡＴＭでは、終端点の切換は仮想経路または仮想チャンネル・レベルであることが可能であり、かつこれは外的または内的に行われる。
【０００９】
現在提案されているＵＴＲＡＮ仕様においては、トラフィックの終端点は、専用チャンネルの無線リンクがセットアップされた時点、もしくは共通チャンネルの共通伝送チャンネルがセットアップされた時点の何れかで決定される。各無線リンクはトラフィックの終端点を有し、かつ各無線リンクにおける各伝送チャンネルは独自のＡＡＬ２終端点を保有することができる。同様に、各共通伝送チャンネルも独自のＡＡＬ２終端点を保有している。トラフィックの終端点またはＡＡＬ２の終端点が画定されると、接続の持続時間を通してこれが保持される。
【００１０】
ノードＢエレメントでは、この終端点の決定がリソースの細分化問題を発生する可能性がある。これは、特定のノードＢエレメントが理論的には要求された高帯域幅のコール（たとえばビデオコール）に応じるに足る容量を保有することが可能であっても、利用可能なリソースが分散されているためにコールを拒絶せざるを得ないことがあることを意味する。
【００１１】
［発明の開示］
本発明の第１の態様によれば、内部にトラフィックの終端点またはＡＡＬ２の終端点が確立されているネットワーク・エレメント内にリソースを割り当てる方法であって、本方法は、
ネットワーク・エレメントを介して接続要求を受け入れる工程と、
利用可能なリソースが要求された接続を確立するに足る容量を保有しているかどうかを確認する工程と、
充分な容量がある場合には、利用可能なリソースに関連して画定された終端点が、接続が確立され得ないようにリソースを細分化しているかどうかを確認する工程と、
リソースがそのように細分化されている場合には、関連する接続を断つことなく１つまたは複数の終端点を再配置し、これにより、要求された接続が確立できる程度までリソースの細分化を解消する工程とを含んでいる。
【００１２】
本発明の第２の態様によれば、内部にトラフィックの終端点またはＡＡＬ２の終端点が確立されている配分されるべきリソースを有するネットワーク・エレメントであって、本ネットワーク・エレメントは、
接続要求を受入れ、
利用可能なリソースが要求された接続を確立するに足る容量を保有しているかどうかを確認し、
充分な容量がある場合には、利用可能なリソースに関連して画定された終端点が、接続が確立され得ないようにリソースを細分化しているかどうかを確認し、
リソースがそのように細分化されている場合は、関連する接続を断つことなく１つまたは複数の終端点を再配置し、これにより、要求された接続が確立できる程度までリソースの細分化を解消するように構成されている。
【００１３】
好ましくは、終端点の再配分に先立って、ネットワーク・エレメント内のリソースの細分化を最小限にするためには既存の何れの終端点を再配置すべきかが決定され、次いで、この決定にしたがって終端点が変更される。
【００１４】
好ましくは、１つまたは複数の終端点の再配分は、
無線ネットワーク・コントローラ（ＲＮＣ）に終端点交換要求（ＴＰＳＲ）メッセージを送信することを含み、ＴＰＳＲメッセージは交換される終端点に関連するポート情報を含み、
ＲＮＣから交換要求コミット（ＳＲＣ）メッセージを受信することを含み、ＳＲＣメッセージは、リソースの再配分が行われることの確認とリソース再配置の同期のためのタイミング情報とを含んでいる。
【００１５】
好適な実施形態では、ＴＰＳＲは、１つまたは複数の下記ＩＤ、すなわち、
結合ＩＤと、
伝送レイヤおよびノードＢ通信環境ＩＤと、
通信制御ポートＩＤと、を含んでいる。
【００１６】
好ましくは、ネットワーク・エレメントは３ＧＰＰのＵＴＲＡ仕様によるノードＢエレメントである。
【００１７】
つぎに、添付の図面を参照して、本発明の好適な実施形態を単に例示的に説明する。
【００１８】
［発明の実施の形態］
本発明は、その好適な形態において、携帯電話および他のタイプのデータ転送のためのＵＴＲＡを基礎とする無線通信ネットワークの一部を形成するノードＢネットワーク・エレメントに適用され、図２にはその作動部分が示されている。コア・ネットワーク（ＣＮ）は、Ｉｕインタフェースを介してＵＴＲＡＮに接続されている。ＵＴＲＡＮにおいて、Ｉｕインタフェースは無線ネットワーク・コントローラ（ＲＮＣ）で終了する。ＲＮＣは、Ｉｕｒインタフェースによって互いに接続されている。
【００１９】
図２は、２つのタイプのＲＮＣ（無線ネットワークコントローラ）、すなわちサービングＲＮＣ（ＳＲＮＣ）とドリフトＲＮＣ（ＤＲＮＣ）とを示している。ユーザ機器は無線インタフェースＵｕによってノードＢに接続され、ノードＢはＩｕｂインタフェースによってＲＮＣに接続されている。インタフェースは全て、ネットワークが適正に作動すべく充分に特定されている。Ｉｕｂインタフェースは、ＡＴＭおよびＡＡＬ２伝送機構を利用するように指定されている。
【００２０】
つぎに、図１に関連して、図１が示すネットワークのオペレーションを好適な実施形態の環境において説明する。本オペレーションでは、ノードＢネットワーク・エレメント（すなわち基地局）がＡＡＬ２の終端処理された接続に対する要求を受信する。ＡＡＬ２の終端は、可変ビット伝送速度（ＶＢＲ）の接続指向、時間依存式データ・トラフィックをサポートする。このような接続が使用されるデータタイプの典型例は、パケット化された音声およびＶＢＲ画像送信である。
【００２１】
要求を受信すると、ノードＢは、その時点で利用可能なネットワーク・リソースの合計が要求内容であるデータ・タイプに予想されるピーク帯域幅を伝送するに足る帯域幅を保有するかどうかを確認する。帯域幅が充分に利用可能であり、かつ終端点の配分方法がこれを可能にする場合には、要求された接続にとって充分なネットワーク・リソースが利用可能にされ、接続が確立される。
【００２２】
これとは反対に、利用可能なリソースが充分でなければ、接続要求は通常の方法で拒否される。先行技術のケースでは、充分なリソースがあっても、終端の配置が要求された（一般に比較的高い帯域幅の）接続によって使用されるにはリソースが細分化され過ぎているような場合には、接続がやはり拒否される。
【００２３】
本発明のケースでは、利用可能な帯域幅の合計が充分に存在し、しかも利用可能なリソースのそれまでの配分がリソースを細分化している場合には、ノードＢが新規接続を確立させるための最善のリソースの再配分方法を確認する。たとえばその時点での状況および実施方法に依存して、単に、その時点で要求されている接続の達成を可能にするために必要な程度でのみリソースの細分化を解除する（まとめる）ことが好適である場合がある。代替として、必要最低限を僅かに上回るものから細分化の完全な解除に至る、より大量の細分化解除を実行することもできる。これは、さらなる細分化の解消なしには達成されなかったと思われる（その時点で要求されていたものに続く）新規接続のセットアップの遅延が少なくなることを意味する可能性がある。
【００２４】
ノードＢネットワーク・エレメントにおいてリソースの所望される再配置が確認されると、エレメントは無線ネットワーク・コントローラ（ＲＮＣ）に終端点交換要求（ＴＰＳＲ）メッセージを送信する。ＴＰＳＲメッセージは、ノードＢが再配置される必要があると決定した特定の終端点に関連するポート情報を含んでいる。好適な形態においては、ＴＰＳＲは、１つまたは複数の結合ＩＤと、伝送レイヤおよびノードＢ通信環境ＩＤと、通信制御ポートＩＤとを含んでいる。ただし、機能の実際の組合せは、特定の実施形態およびアプリケーション間で変化する。
【００２５】
ＲＮＣは通常、リソースの再配分が実行されることを確認する交換要求コミット（ＳＲＣ）で応答する。ＳＲＣメッセージはまた、リソースの再配分に影響される接続が維持されるように、ノードＢを有効化してリソースの再配分を同期化するタイミング情報を供給する。つぎに、このタイミング情報によって接続が確立され、再配分がシステムのユーザにとってシームレス（通信が中断しない）であることが保証される。
【００２６】
本発明がネットワーク・エレメント内のトラフィックの終端点およびＡＡＬ２の終端点双方に適用され得ることは認識されるであろう。何れの場合も、リソースの再配分により、ノードＢネットワーク・エレメント内部での通信ポートの交換が効果的にもたらされる。
【００２７】
本発明を特定の実施形態を参照して説明してきたが、本発明が他の多くの形態で実施可能であることは認識されるであろう。
【図面の簡単な説明】
【図１】
本発明による、内部にトラフィックの終端点またはＡＡＬ２の終端点が確立されているネットワーク・エレメント内にリソースを割り当てる方法に包含される工程を示すフローチャートである。
【図２】
本発明が適用されているＵＭＴＳアーキテクチャの略図である。
【図１】
2004514378.tif 000003
【図２】
2004514378.tif 000004
【国際公開パンフレット】
2004514378.tif 000005
2004514378.tif 000006
2004514378.tif 000007
2004514378.tif 000008
2004514378.tif 000009
2004514378.tif 000010
2004514378.tif 000011
2004514378.tif 000012
2004514378.tif 000013
2004514378.tif 000014
2004514378.tif 000015
2004514378.tif 000016
2004514378.tif 000017
2004514378.tif 000018
2004514378.tif 000019
【国際公開パンフレット（コレクトバージョン）】
2004514378.tif 000020
2004514378.tif 000021
【国際調査報告】
2004514378.tif 000022
2004514378.tif 000023